(57)【要約】【課題】組立作業及び分解作業を容易に行うとともにリサイクル性を向上させる。【解決手段】遊技盤ユニット２０を遊技盤４、遊技領域規制枠２１及び制御回路ユニット２２から構成する。遊技領域規制枠２１の後面には、ロック機構を構成する操作つまみ３１が設けられている。遊技盤ユニット２０の作成時には、まず遊技盤４の前面に遊技領域規制枠２１を組み付けた後に、制御回路ユニット２２を遊技盤４の後面から組み付ける。この際、遊技領域規制枠２１と制御回路ユニット２２とはロック機構により遊技盤４を挟持した状態で係合される。【選択図】        図３
2004174211.tif 000002
【特許請求の範囲】
【請求項１】
遊技媒体が流下する遊技領域が設けられた遊技盤と、
前記遊技盤の遊技領域を規制する規制部、及び前記遊技領域に打ち出される前記遊技媒体を案内する案内部が設けられた遊技領域規制部材と、
前記遊技盤に取り付けられる支持部材に、制御回路装置が取り付けられることからなる制御回路ユニットとを備え、
前記遊技領域規制部材又は制御回路ユニットの少なくともいずれか一方に、前記遊技盤を挟持した状態で前記遊技領域規制部材と制御回路ユニットとを係合して保持を行うロック機構を設け、
前記遊技領域規制部材、遊技盤及び制御回路ユニットをロック機構により固定する遊技盤ユニットとして遊技機内部に組み込むことを特徴とする遊技機。
【請求項２】
前記遊技盤を遊技領域規制部材及び前記制御回路ユニットで挟持状態に保持する係合保持位置と、前記挟持状態に対して分離自在となる取付位置との間で移動自在となる係止部材をロック機構とすることを特徴とする請求項１記載の遊技機。
【請求項３】
遊技の際に流下する遊技媒体を弾くための障害釘と、遊技者に対して付与価値を与えるための入賞口が少なくとも遊技領域に設けられた遊技盤と、
前記遊技領域に向けて打ち出された遊技媒体を前記遊技領域に向けてガイドするガイドレールと、前記遊技領域を規制するための遊技領域規制枠とが一体のユニットとして形成された遊技領域規制枠ユニットと、
前記遊技領域の後方にて設置される支持部材に、遊技状態に応じて各種装置を作動させる制御回路装置が取り付けられた制御回路ユニットとを備えるとともに、
前記遊技領域規制枠ユニット又は制御回路ユニットの少なくともいずれか一方に、前記遊技盤を挟持した状態で遊技領域規制枠ユニット及び制御回路ユニットを係合保持させるためのロック機構を設け、
前記遊技領域規制枠ユニット、遊技盤及び制御回路ユニットをロック機構により固定された遊技盤ユニットとして遊技機内部に組み込んだことを特徴とする遊技機。
【請求項４】
前記遊技盤を遊技領域規制枠ユニット及び前記制御回路ユニットで挟持状態に保持する係合保持位置と、前記挟持状態に対して分離自在となる取付位置との間で移動自在となる係止部材をロック機構とすることを特徴とする請求項３記載の遊技機。
【請求項５】
前記支持部材を、少なくとも前記制御回路装置を組み付け得る組付け部を有する部材と、前記ロック機構に基づく係合を行う係合部を有する部材とを含む複数の部材から形成したことを特徴とする請求項１〜４いずれか記載の遊技機。
【請求項６】
前記ロック機構により固定された遊技盤ユニットは、封印処理をして、前記遊技機内部に組み込むことを特徴とする請求項１〜５いずれか記載の遊技機。
【発明の詳細な説明】
【０００１】
【発明の属する技術分野】
本発明は、パチンコ店等の遊技場に設置して使用されるパチンコ機等の遊技機に関するものである。
【０００２】
【従来の技術】
遊技場に設置される遊技機としてパチンコ機が挙げられる。このパチンコ機にはパチンコ球等の遊技媒体が打ち出される遊技領域が形成された遊技盤が遊技機内部の取付け部となる本体枠内に配設され、その遊技盤の前面を窓部を有する開閉自在な前面枠により被覆される構成となっている。遊技盤面には、遊技領域を規制又は遊技媒体を誘導するためのレールが取り付けられるとともに、遊技領域内には障害釘や風車等の他に、電動チューリップや入賞チャッカー、アタッカー等の入賞装置が配設されている。
【０００３】
このような遊技領域とは反対側の後面には、入賞チャッカーやアタッカー等に設けられた入賞口に入ったパチンコ球を、所定の受け部へとガイドする誘導リブからなる所謂球通路を有する支持部材が組み付けられる。この支持部材には、パチンコ機を制御するための主制御回路基板（装置）、ランプ制御回路基板（装置）及び音声制御回路基板（装置）等の制御回路基板の他に、特別図柄表示装置となる液晶表示（ＬＣＤ）パネル等が直接又は間接的に組み付けられ、１つのユニットとして遊技盤の背面に組み付けられる。これにより、遊技盤を取り外した場合には、上記遊技盤に取り付けられたユニットも同時に遊技機内部から取り外すことができるので、組み付けの際の作業性を向上させることが可能となる。
【０００４】
【発明が解決しようとする課題】
しかしながら、遊技盤ユニットを組み立てる場合の工数が多いため、製造時の作業性が悪いという問題がある。一方、このような遊技盤ユニットとして組み込まれたパチンコ機の機種替えを行った際に回収されるパチンコ機は、人の手によって分解作業が行われ、部品毎にリサイクルできるか否かを判別した後に、再利用できる部品だけを新しい機種に使用しているが、遊技盤近傍の部品は遊技盤に釘やネジ等で容易に取り外せないように頑強に組み付けられるため、分解作業時に部品が破損することが多く、遊技盤近傍の部品を再利用することが難しい。
【０００５】
本発明は、リサイクル性及び着脱作業時の効率を向上することでコストダウンを効果的に行えるようにした遊技機を提供することを目的とする。
【０００６】
【課題を解決するための手段】
上記目的を達成するために、本発明の遊技機は、遊技媒体が流下する遊技領域が設けられた遊技盤と、前記遊技盤の遊技領域を規制する規制部、及び前記遊技媒体を前記遊技領域に案内する案内部が設けられた遊技領域規制部材と、前記遊技盤に取り付けられる支持部材に、制御回路装置が取り付けられることからなる制御回路ユニットとを備え、前記遊技領域規制部材又は制御回路ユニットの少なくともいずれか一方に、前記遊技盤を挟持した状態で前記遊技領域規制部材と制御回路ユニットとを係合して保持を行うロック機構を設け、前記遊技領域規制部材、遊技盤及び制御回路ユニットをロック機構により固定する遊技盤ユニットとして遊技機内部に組み込むものである。なお、開口部とは、例えば始動入賞口、通常入賞口、アタッカ等の入賞口が挙げられる。なお、本発明における支持部材は、例えば、前記遊技領域が設けられる遊技盤面の後方となる反対側の遊技盤面にて保持するように配置されるものも含み、遊技媒体を所定の受け部へと誘導させるための役割を持つ、例えば誘導リブ等の誘導部材をも含んで備えるようにしてもよい。
【０００７】
また、前記遊技盤を遊技領域規制部材及び前記制御回路ユニットで挟持状態に保持する係合保持位置と、前記挟持状態に対して分離自在となる取付位置との間で移動自在となる係止部材をロック機構とすることが好ましい。
【０００８】
また、本実施形態の遊技機は、遊技の際に流下する遊技媒体を弾くための障害釘と、遊技者に対して付与価値を与えるための入賞口が少なくとも遊技領域に設けられた遊技盤と、前記遊技領域に向けて打ち出された遊技媒体を前記遊技領域に向けてガイドするガイドレールと、前記遊技領域を規制するための遊技領域規制枠とが一体のユニットとして形成された遊技領域規制枠ユニットと、前記遊技領域の後方にて設置される支持部材に、遊技状態に応じて各種装置を作動させる制御回路装置が取り付けられた制御回路ユニットとを備えるとともに、前記遊技領域規制枠ユニット又は制御回路ユニットの少なくともいずれか一方に、前記遊技盤を挟持した状態で遊技領域規制枠ユニット及び制御回路ユニットを係合保持させるためのロック機構を設け、前記遊技領域規制枠ユニット、遊技盤及び制御回路ユニットをロック機構により固定された遊技盤ユニットとして遊技機内部に組み込んだものである。なお、本発明における入賞口は、遊技媒体を受け入れる穴を備えた開口部を含む。また、ガイドレールは、遊技機内部に設けられた発射装置などから打出された（発射された）遊技媒体遊技領域の所定位置まで案内する通路を形成する突出部等の案内部材に含まれる。また、遊技領域規制枠は、遊技媒体を遊技の際に流下させる移動範囲を区画するように設けられた遊技領域を規制する部材に含まれる。そして、遊技領域規制部材として機能する前記遊技領域規制枠ユニット、遊技盤及び制御回路ユニットを係合保持することで構成する遊技盤ユニットを、遊技機本体枠に設けられた取付空間部へと装着する等、遊技機内部に組み込むことができるものである。
【０００９】
また、前記遊技盤を遊技領域規制枠ユニット及び前記制御回路ユニットで挟持状態に保持する係合保持位置と、前記挟持状態に対して分離自在となる取付位置との間で移動自在となる係止部材をロック機構とすることが好ましい。
【００１０】
また、前記支持部材を、少なくとも前記制御回路装置を組み付け得る組付け部を有する部材と、前記ロック機構に基づく係合を行う係合部を有する部材とを含む複数の部材から形成したことが好ましい。また、前記ロック機構により固定された遊技盤ユニットは、封印処理をして前記遊技機内部に組み込むことが好ましい。なお、移動自在となる係止部材とは該係止部材に設けられた回動軸を中心に回転移動自在とし、係合保持位置又は取付位置への移動を行うようにしたものも含むものとする。
【００１１】
【発明の実施の形態】
図１及び図２に示すように、パチンコ機２の本体枠３の内部には遊技盤４が配設されており、遊技盤４の前面には前面枠５が開閉自在に設けられている。この前面枠５の中央には開口５ａが形成されており、この開口５ａは前面枠５の裏側に取り付けられるガラス枠６（図２参照）のガラス板７により遮蔽されている。前面枠５の下方には、打球（遊技媒体）供給用の供給皿８及び遊技媒体となるパチンコ球の打ち出し強さを調節する操作ハンドル９が設けられている。遊技者が供給皿８にパチンコ球を投入すると、内部に設けられた通路によりパチンコ球は発射装置へと誘導される。そして、操作ハンドル９を操作して遊技盤４上にパチンコ球を打ち出す。なお、前面枠５が閉じているロック状態の場合には、遊技者や遊技場の作業者は、前面枠５の裏側に取り付けられたガラス板７を介して遊技盤４の遊技領域４ａを視認できると共に遊技領域４ａ上を流下していく打ち出されたパチンコ球を見ることはできるが、遊技盤４にはもちろんのこと、本体枠３の内部に備えられた電子機器にも触れることはできないようになっている。
【００１２】
このパチンコ機は、図示しない発射装置や払い出し装置等が組み込まれ、上述した前面枠５が開閉自在に設けられた本体枠３と、この本体枠３の空間部に組み込まれる遊技盤ユニット２０とから構成されている。このうち、遊技盤ユニット２０は、遊技盤４、遊技領域規制枠ユニット２１及び制御回路ユニット２２（図３参照）から構成されている。
【００１３】
図３及び図４に示すように、遊技盤４の正面側には、図示しない障害釘が打ち付けられる他に、遊技媒体である遊技球を入賞させるための始動入賞口１２、通常入賞口１３及びアタッカ１４等の入賞部や、これら入賞口に入賞しなかった遊技球を所定の受け部に導くためのアウト口１５が配設されている。なお、これらの構造物は公知であるので説明は省略する。この遊技盤４の上下端縁部には、開口４ｂが形成されており、後述する遊技領域規制枠ユニット２１の後面に形成されたボス２１ａが挿通される。
【００１４】
遊技領域規制枠ユニット２１は、図示しない発射装置にて遊技領域４ａに向けて打ち出された遊技球をガイドするためのガイドレール（案内部材）２３と、遊技領域４ａを規制するためのレール飾り２４とが一体となるようにした枠状のユニットとして形成されている。この遊技領域規制枠ユニット２１の後面には、上端部及び下端部のそれぞれ２箇所にボス２１ａが形成され、このボス２１ａにロック機構３０が取り付けられる。なお、ロック機構の個数は、４個に限定する必要はなく、遊技盤ユニット２０の構成等を考慮して、適宜任意の位置に設けてよい。
【００１５】
ロック機構３０は、操作部３１ａ及び軸部３１ｂが一体に形成された操作つまみ３１と、押さえ板３２とから構成される。この操作つまみ３１は遊技領域規制枠ユニット２１の後面側に、押さえ板３２は遊技領域規制枠ユニット２１の前面側にそれぞれ配置され、ボス２１ａの端面を挟持するように押さえ板３２側からネジ３３により回動自在に組み付けられる。
【００１６】
制御回路ユニット２２は、上述した各入賞口及びアウト口１５に入った遊技球を所定の受け部に導く役割を持つようにしたリブ等の突設部材の隙間に設けられた球通路を有する支持部材３５、パチンコ機の電気的統制を行うための主制御回路基板３６又は副制御回路基板等の制御回路装置等から構成される。なお、各制御回路装置は、不正行為を防止するために専用の収納ケースに封印された後に、支持部材３５の所定位置に組み付けられる。また、支持部材３５の上下４箇所には、ロック機構３０の操作つまみ３１を挿通させるために対応させた開口３７ａが形成されたボス３７が後面側に向けて形成されている。このボス３７の内側には遊技領域規制枠ユニット２１に形成されたボス２１ａが挿入されることで、制御回路ユニット２２が遊技領域規制枠ユニット２１に対して位置決めされる。
【００１７】
次に、本実施形態の作用について説明する。図３に示すように、遊技領域規制枠ユニット２１を遊技盤４の前面側に取り付ける。図４に示すように、遊技領域規制枠ユニット２１の後面に形成されたボス２１ａが遊技盤４に形成された開口４ｂに対応するようにそれぞれ挿通され、遊技領域規制枠ユニット２１が遊技盤４の所定位置に保持される。その後、遊技盤４の後面側から制御回路ユニット２２を取り付けるる。この際、遊技領域規制枠ユニット２１に形成されたロック機構３０の操作つまみ３１を制御回路ユニット２２に設けられているボス３７に形成された開口３７ａに挿通させた後に、ボス２１ａの先端部をボス３７の内部空間に嵌合させる。これにより、制御回路ユニット２２が遊技領域規制枠ユニット２１に位置決めされる。そして、本発明における係止部材となる操作つまみ３１を回転移動させる（回転方向は時計方向でも、反時計方向でもよい）と、操作部３１ａの軸部３１ｂ側の端面と、ボス３７の開口３７ａ近傍の面とが係合した保持状態となり、遊技盤４が遊技領域規制枠ユニット２１と制御回路ユニット２２とにより挟持、且つ固定される（図５参照）。これにより、遊技盤ユニット２０が完成する。
【００１８】
このようにして、完成した遊技盤ユニット２０には、封緘具３８を用いて遊技盤４、支持部材３５及び回路収納用ケース３６の封印処理を行った後に、本体枠３に取り付けられる（図６参照）。これにより、前記固定状態から分離状態にした際に痕跡を残すことができるため、制御回路基板等の不当な交換や不正行為を防止することが可能となる。なお、封緘具の種類等については、図７に示すように、例えば一端に係止爪３９ａ、他端側にストッパ３９ｂが形成された専用の封緘具３９としてもよい。また、不正に前記固定状態を解除できないように封印処理をする部材の組合せは、前記形態に拘わらず、適宜の構成からなるものでよい。
【００１９】
また、回収されたパチンコ機２の遊技盤ユニット２０を分解する場合には、封緘具４０を取り外した後に、操作つまみ３１を回転移動させる。操作つまみ３１を回転させると、操作部３１ａの軸部３１ｂ側の端面とボス２１ａの端面との当接が解除され、制御回路ユニット２２、遊技盤４の順で取り外すことが可能となる。これにより、遊技盤ユニット２０の組立作業時及び分解作業時の作業工数が削減され、作業性が向上する。また、分解作業を容易に行えるので、各ユニットの破損を防止できるので、リサイクル性を向上させることが可能となる。つまり、遊技盤４のみの廃棄、又は再処理だけで済む。
【００２０】
なお、本実施形態では、組付作業時及び分解作業時についてのみ説明したが、制御回路ユニット及び遊技領域規制枠ユニットを共通化でき、他機種のパチンコ機に対しても共通部品として用いることができる。
【００２１】
本実施形態では、遊技領域規制枠ユニットにボスを設け、このボスの端面にロック機構となる操作つまみ及び押さえ板を回動自在となるように設け、後面側に突出するようにさせた状態で係合保持させたが、これに限定する必要はなく、例えば、遊技領域規制枠ユニット及び制御回路ユニットのそれぞれに形成されたボスをそれぞれ遊技盤の開口部内で係合するように挿入させて係合保持するようにしてもよい。この場合、図８（ａ）又は図８（ｂ）に示すように、遊技領域規制枠ユニット４０を遊技盤４１の前面側に取り付けた後に、制御回路ユニット４２を遊技盤４１の後面側に取り付ける。この際、遊技盤４１に形成された開口４１ａに、それぞれのボス４０ａ，４２ａが挿入され、遊技盤４１と遊技領域規制枠ユニット４０との位置決め、及び制御回路ユニット４２と遊技盤４１との位置決めがそれぞれ行われる。この場合、ボス４０ａ、４２ａの高さをそれぞれｈ１、ｈ２とし、これらボス４０ａ、４２ａの高さの合計値ｈ１＋ｈ２以上の厚みを遊技盤４１の厚みｈ３とすることで、遊技盤４１を遊技領域規制枠ユニット４０及び制御回路ユニット４２により挟持する時にロック機構部を平坦とさせることが可能となる。さらに、ボス４２ａの高さｈ２をボス４０ａの高さｈ１よりも高くすることで、操作つまみ４３をボス４２ａの内部に収納することができ、回動の誤動作防止や、装置の煩雑化を防止することができる。
【００２２】
本実施形態では、遊技領域規制枠ユニットを遊技盤に組み付ける際に、遊技領域規制枠ユニットに形成されたボスを、遊技盤に形成された開口に挿通させることで遊技領域規制枠ユニットを遊技盤に位置決めしたが、これに限定する必要はなく、例えば遊技領域規制枠ユニットに、遊技盤への取り付け時に遊技盤に係合する係止爪を設けてもよい。この場合、遊技領域規制枠ユニットを遊技盤に組み付けることで、遊技領域規制枠ユニットを遊技盤に保持することが可能となり、制御回路ユニットを遊技盤の後面に取り付ける際に、遊技盤から遊技領域規制枠ユニットの脱落を防止することができ、製造時の作業性を向上させることができる。
【００２３】
本実施形態では、回転式の操作つまみを有するロック機構から構成したが、これに限定する必要はなく、例えばスライド式のロック機構から構成してもよい。この場合、図９に示すように、遊技領域規制枠ユニット５０に形成されたボス５１に係合部５１ａを設ける。また、制御回路ユニット５２に、係合部５１ａを挿通させるための開口５２ａを設けるとともに、制御回路ユニット５２の後面側にロックレバー５３を保持するための保持リブ５４，５５をそれぞれ形成する。遊技盤ユニットの製造時には、遊技盤５６の前面に遊技領域規制枠ユニット５０を取り付けた後に、制御回路ユニット５２を遊技盤５６の後面に取り付ける。この際、遊技領域規制枠ユニット５０に形成された係合部５１ａは、遊技盤５６の後面側に突出しており、制御回路ユニット５２の開口５２ａに挿通される。そして、図１０に示すように、ロックレバー５３を、保持リブ５４、係合部５１ａ、保持リブ５５の順に挿通させ、遊技領域保持枠ユニット５０と制御回路ユニット５２とを遊技盤５６を挟持した状態で係合保持することができる。
【００２４】
また、遊技領域規制枠ユニット又は制御回路ユニットのいずれか一方に、係止爪を有する嵌合リブを設けてもよい。図１１及び図１２に示すように、例えば遊技領域規制枠ユニット６０の後面側に突出するように、位置決め用のリブ６１と、このリブ６１の内側に係止爪６２ａが形成されたリブ６２を設ける。遊技盤６３の前面に遊技領域規制枠ユニット６０を取り付けた後に制御回路ユニット６４を組み付ける。この際、位置決め用のリブ６１が遊技盤６３の開口に挿通され、係止爪６２ａが開口６４ａに挿通した後にこの開口６４ａの外周を覆うリブ６４ｂと係合保持させる。これにより、遊技盤６３を挟持した状態で、遊技領域規制枠ユニット６０と制御回路ユニット６４とが固定される。なお、符号６３ａは遊技領域規制枠ユニット６０に設けられた位置決め用のリブ６１を挿通させるための開口である。
【００２５】
本実施形態では、ロック機構のみで、遊技領域規制枠ユニットと、遊技盤と、制御回路ユニットとを係合固定させるようにしたが、これに限定する必要はなく、例えば、遊技領域規制枠ユニット又は制御回路ユニットのいずれか一方を、他方に対して回動自在に且つ、着脱自在となるように固定させるようにしてもよい。図１３及び図１４に示すように、着脱式のヒンジ部７０を設ける。この着脱式のヒンジ部７０は、回動中心となる回転軸７１と、この回転軸７１に摺接し回動させるための断面が扇状の回動片７２とから構成されている。そして、回転軸７１を備え持つ制御回路ユニット７３の一端側に、回動片７２が回動自在となるように遊技領域規制枠ユニット７４の一端側に、それぞれ設ける。また、遊技領域規制枠ユニットの他端側の所定箇所にロック機構（図示せず）を設ける。従ってこの回動片７２は、回転軸７１を中心に遊技盤７５を取り付ける取付位置と、遊技盤７５を保持する保持位置との間で回動可能となる。
【００２６】
遊技盤ユニット７６の組み立て時には、まず、遊技領域規制枠ユニット７４の後面に遊技盤７５を仮止めした後に、制御回路ユニット７３を組み付ける。この際、遊技領域規制枠ユニット７４の一端側に設けられた回動片７２を、制御回路ユニット７３の回転軸７１に回動自在となるように当接させ、遊技領域規制枠ユニット７４及び遊技盤７５を保持可能とさせる位置側、すなわち遊技盤７５の後面が制御回路ユニット７３の前面と当接するように回転させる。そして、図示しない嵌合することのできるリブ等のロック機構による係合保持を行うことで、遊技盤７５が遊技領域規制枠ユニット７４と制御回路ユニット７３とにより挟持され固定されることになる。
【００２７】
また、上記形態のヒンジ部の他に、図１５に示すように、遊技領域規制枠ユニット８２又は制御回路ユニット８３の少なくともいずれか一方を回動自在にさせ遊技盤８４を挟持させるような結合部材８０や、図１６に示すように、弾性を有し、遊技領域規制枠ユニット８２と制御回路ユニット８３とで遊技盤８４を挟持するように係合保持させる結合部材８１を少なくとも１つ使用して、遊技領域規制枠ユニット８２及び制御回路ユニット８３で遊技盤８４を固定するようにさせた遊技盤ユニット８５としてもよい。
【００２８】
本実施形態では、制御回路ユニットを構成し、各制御回路装置を所定位置に組み付けるための支持部材を１つの部材から構成したが、これに限定する必要はなく、例えば複数個の部品から構成してもよい。図１７に示すように、支持部材９０を遊技領域規制部材９５に形成された操作つまみ９７を挿通するための係合穴９１ａ，９２ａ，９３ａが設けられた部材９１〜９３と、主制御回路基板３６を含む制御回路基板等が組み付けられる組付け部９４ａ，９４ｂを備えた部材９４とから構成する。なお、部材９１〜９３に設けられる係合穴９１ａ，９２ａ，９３ａは、ボス９１ｂ，９２ｂ，９３ｂの上面にそれぞれ設けられている。
【００２９】
支持部材９０の組み立て時には、ボス９１ｂを有する部材９１を制御回路基板が組み付けられる部材９４の上方に、ボス９２ｂ，９３ｂを有する部材９２，９３はその下方に、それぞれ図示しないビス等の固定部材により組み付ける。これにより、支持部材９０が完成する。図１８に示すように、遊技盤ユニットの作成時には、遊技領域規制部材９５を遊技盤９６の遊技領域が設けられた前面から、遊技領域規制部材９５のボス９５ａを遊技盤９６の挿通穴９６ａに挿通させて位置決めする。その後、支持部材９０を遊技盤９６の前記前面と反対側となる後方から組み付ける。この際、支持部材９０のボス９１ｂ，９２ｂ，９３ｂに設けられた係合穴９１ａ，９２ａ，９３ａに、遊技領域規制枠ユニット９６に設けられた操作つまみ９７を挿通させ、操作つまみ９７を９０度回転させる。これにより、操作つまみ９７が前記係合穴に対して係止することとなり、遊技領域規制枠部材９５と支持部材９０とが遊技盤９６を挟持した状態で固定される。この状態で、支持部材９０に各制御装置を収納した収納ケースが組み付けられ、遊技盤ユニットが完成する。これにより、遊技領域規制部材９５に設けられる操作つまみ９７の位置と、係合穴９１ａ，９２ａ，９３ａを有する部材９１〜９３との対応関係を整えることにより、遊技盤構成に関係なく非交換部品として共通化を行うことができる。なお、各制御回路装置が収納された収納ケースは、遊技盤を遊技領域規制部材と支持部材とで挟持した状態で支持部材に組み付けてもよいし、遊技領域規制部材と支持部材とに基づく係合を行う前に予め組み付けてもよい。
【００３０】
また、この他に、支持部材を、球通路を有する部材と、支持枠本体との２個の部材を組み合せた構成としてもよい。以下では、球通路を有する部材を交換可能枠として説明する。図１９に示すように、交換可能枠１００の前面には複数のリブ１０１が設けられ、これらリブ１０１の間の隙間が球通路１０２となる。なお、これら複数のリブ１０１は、遊技盤１０５に設けられた入賞口の位置に合うように配設されている。この交換可能枠１００の後面には、主制御回路基板と他の制御基板とを電気的に接続するための中継基板等を組み付けるための組付け部１０３（図２０参照）が設けられる。なお、この場合、遊技盤１０５の入賞口の配置位置等に合わせた交換可能枠が、その配置位置に応じた個数分、選択可能に設けられている。以下では、交換可能枠が２個（符号１００、１１０）の場合について説明する。
【００３１】
一方、支持枠本体１０６は、その後面に主制御回路基板等の回路基板が収納された収納ケース（図示せず）が複数組み付けられる。なお、上記収納ケースの中には、支持枠本体１０６と、交換可能枠１００とに跨って組み付けられるものもある。この支持体本体１０６は、遊技盤１０５の構成に係わらず同一構成として使用可能となっており、この支持枠本体１０６の上部及び下部には、遊技領域規制部材１１２の係止つまみ１１３が挿通される係合穴１０６ａを有するボス１０６ｂが設けられる。
【００３２】
この場合、交換可能枠１００又は交換可能枠１１０のうち、遊技盤１０５の入賞口に合わせたリブ１０１を有する交換可能枠を選択し、その交換可能枠を支持枠本体２２に例えばビス等の固定部材を用いて組付け固定し、支持枠１１５を組み立てる。図２０に示すように、遊技盤ユニットの作成時には、遊技領域規制部材１１２を遊技盤１０５の遊技領域が設けられた前面側から、遊技領域規制部材１１２のボス１１２ａを遊技盤１０５の挿通穴１０５ａに挿通させて位置決めする。その後、支持部材１１５を遊技盤９１の前記前面と反対側となる後方から組み付ける。この際、支持部材１１５のボス１０６ｂに設けられた係合穴１０６ａに、遊技領域規制部材１１２に設けられた操作つまみ１１３を挿通させ、操作つまみ１１３を９０度回転させる。これにより、操作つまみ１１３が前記係合穴に対して係止することとなり、遊技領域規制部材１１２と支持部材１１５とが遊技盤１０５を挟持した状態で固定される。その後、制御回路装置が収納された収納ケースを支持部材１１５に組み付けることで、遊技盤ユニットが完成する。これにより、遊技領域規制部材１１２に設けられる操作つまみ１１３の位置が機種に関係なく同じであれば、支持枠本体１０６を非交換部品として共通化を行うことができる。なお、各制御回路装置が収納された収納ケースは、遊技盤を遊技領域規制部材と支持部材とで挟持した状態で支持部材に組み付けてもよいし、遊技領域規制部材と支持部材との係合を行う前に予め組み付けてもよい。
【００３３】
なお、支持部材を構成する部材の個数、及び部材の構成内容は、上記に限定する必要はなく、遊技盤の形状等により適宜の個数としてよいものとする。
【００３４】
【発明の効果】
以上のように、本発明の遊技機によれば、遊技媒体が流下する遊技領域が設けられた遊技盤と、前記遊技盤の遊技領域を規制する規制部、及び前記遊技媒体を前記遊技領域に案内する案内部が設けられた遊技領域規制部材と、前記遊技盤に取り付けられる支持部材に、制御回路装置が取り付けられることからなる制御回路ユニットとを備え、前記遊技領域規制部材又は制御回路ユニットの少なくともいずれか一方に、前記遊技盤を挟持した状態で前記遊技領域規制部材と制御回路ユニットとを係合して保持を行うロック機構を設け、前記遊技領域規制部材、遊技盤及び制御回路ユニットをロック機構により固定する遊技盤ユニットとして遊技機内部に組み込むから、遊技機の回収時の遊技盤脱離等の分解作業を簡単に行うことができるとともに、分解された遊技領域規制枠部材及び制御回路ユニット等の部品を壊すことなく再利用することができる。
【００３５】
また、前記遊技盤を遊技領域規制部材及び前記制御回路ユニットで挟持状態に保持する係合保持位置と、前記挟持状態に対して分離自在となる取付位置との間で移動自在となる係止部材の可動によって上記遊技領域規制部材及び前記制御回路ユニットを固定し得るロック機構としたから、ネジ等の固定に拘わる部材を使用せずに組み立て時の作業性を迅速且つ容易とすることが可能である。
【００３６】
また、遊技の際に流下する遊技媒体を弾くための障害釘と、遊技者に対して付与価値を与えるための入賞口が少なくとも遊技領域に設けられた遊技盤と、前記遊技領域に向けて打ち出された遊技媒体を前記遊技領域に向けてガイドするガイドレールと、前記遊技領域を規制するための遊技領域規制枠とが一体のユニットとして形成された遊技領域規制枠ユニットと、前記遊技領域の後方にて設置される支持部材に、遊技状態に応じて各種装置を作動させる制御回路装置が取り付けられた制御回路ユニットとを備えるとともに、前記遊技領域規制枠ユニット又は制御回路ユニットの少なくともいずれか一方に、前記遊技盤を挟持した状態で遊技領域規制枠ユニット及び制御回路ユニットを係合保持させるためのロック機構を設け、前記遊技領域規制枠ユニット、遊技盤及び制御回路ユニットをロック機構により固定された遊技盤ユニットとして遊技機内部に組み込んだから、遊技機の回収時の遊技盤脱離等の分解作業を簡単に行うことができるとともに、分解された遊技領域規制枠ユニット及び制御回路ユニット等の部品を壊すことなく再利用することができる。
【００３７】
また、前記遊技盤を前記遊技領域規制枠ユニット及び前記制御回路ユニットで挟持状態に保持する係合保持位置と、前記挟持状態に対して分離自在となる取付位置との間で移動自在となる係止部材の可動によって上記ユニットを固定し得るロック機構としたから、ネジ等の固定に拘わる部材を使用せずに組み立て時の作業性を迅速且つ容易とすることが可能である。
【００３８】
また、前記支持部材を、少なくとも前記制御回路装置を支持する支持部を有する部材と、前記ロック機構に基づく係合を行う係合部を有する部材とを含む複数の部材から形成したので、支持部材を構成する部材のうち交換部及び非交換部に分別することができ、部品の共通化及び有効なリサイクルを行うことが可能となる。
【００３９】
また、前記ロック機構により固定された遊技盤ユニットは、封印処理が行わたれ後に前記遊技機内部に組み込まれるようにしたから、不正行為の防止又は抑制を行うことができる。
【図面の簡単な説明】
【図１】本発明を実施したパチンコ機の外観を示す斜視図である。
【図２】本体枠と遊技盤ユニットとを分解して示す斜視図である。
【図３】遊技盤ユニットの構成を示す斜視図である。
【図４】取付位置にあるロック機構の状態を示す断面図及び正面図である。
【図５】保持位置にあるロック機構の状態を示す断面図及び正面図である。
【図６】封印処理の一例を示す斜視図である。
【図７】封印処理の一例を示す斜視図である。
【図８】ロック機構の一例を示す断面図である。
【図９】スライド式のロック機構が取付位置にある場合の断面図及び正面図である。
【図１０】スライド式のロック機構が保持位置にある場合の断面図及び正面図である。
【図１１】係止爪を有するロック機構を用いて遊技盤を保持する場合の断面図である。
【図１２】係止爪を有するロック機構を用いた場合の係止状態を示す断面図である。
【図１３】制御回路ユニットと遊技領域規制枠ユニットとをヒンジ部を介して連結する場合の断面図である。
【図１４】制御回路ユニットと遊技領域規制枠ユニットとをヒンジ部を介して連結する場合で、遊技盤が挟持された場合のヒンジ部の状態を示す断面図である。
【図１５】結合部材の一例を示す説明図である。
【図１６】結合部材の一例を示す説明図である。
【図１７】支持部材を、複数の部材から構成した場合の一例を示す斜視図である。
【図１８】複数の部材からなる支持体を用いた遊技盤ユニットの構成の一例を示す斜視図である。
【図１９】支持部材を、複数の部材から構成した場合の一例を示す斜視図である。
【図２０】複数の部材からなる支持体を用いた遊技盤ユニットの構成の一例を示す斜視図である。
【符号の説明】
２  パチンコ機
３  本体枠
４，５６，６３，７５  遊技盤
２０，７６  遊技盤ユニット
２１，５０，６０，７４  遊技領域規制枠ユニット
２２，５２，６４，７３  制御回路ユニット
３０  ロック機構
３５，９０，１０６  支持部材
３８，３９  封緘具
５３  ロックレバー
９５，１１２  遊技領域規制部材
【図１】
2004174211.tif 000003
【図２】
2004174211.tif 000004
【図３】
2004174211.tif 000005
【図４】
2004174211.tif 000006
【図５】
2004174211.tif 000007
【図６】
2004174211.tif 000008
【図７】
2004174211.tif 000009
【図８】
2004174211.tif 000010
【図９】
2004174211.tif 000011
【図１０】
2004174211.tif 000012
【図１１】
2004174211.tif 000013
【図１２】
2004174211.tif 000014
【図１３】
2004174211.tif 000015
【図１４】
2004174211.tif 000016
【図１５】
2004174211.tif 000017
【図１６】
2004174211.tif 000018
【図１７】
2004174211.tif 000019
【図１８】
2004174211.tif 000020
【図１９】
2004174211.tif 000021
【図２０】
2004174211.tif 000022